(57)【特許請求の範囲】
【請求項１】
媒体が正常な媒体か否かを確認する予備確認手段と、予備確認手段により正常であった媒体につき真偽判別を行う鑑別手段を有し、当該鑑別手段により正常な媒体と判定された媒体にて取引を行う入出金口を有する自動取引装置であって、
前記予備確認手段により前記媒体を異常と判定し返却した回数または前記鑑別手段により前記媒体を異常と判定し返却した回数、若しくは両方の回数に基づき取引を終了するようにした制御手段を設け、
前記制御手段は、前記予備確認手段により異常と判定し返却した回数が予め設定した所定の許容回数未満のときは、再度の入金を促して前記媒体を前記入出金口に再投入させ、
前記予備確認手段により異常と判定し返却した回数が前記許容回数に達すると、以降の前記鑑別手段による真偽判別を行わずに、それまでに入金した額を含む取引内容の履歴を印字した明細票を発行して取引を終了することを特徴とする自動取引装置。
【請求項２】
前記制御手段は、前記予備確認手段により異常と判定し返却した回数または鑑別手段により異常と判定し返却した回数、若しくは両方の回数に基づき、取引を中断し保守作業を行えるようにしたことを特徴とする請求項１記載の自動取引装置。
【請求項３】
前記制御手段は、同じ顧客が前記異常判定により取引の終了または取引の中断となったかどうかを判定した後、媒体投入処理に移行できるようにしたことを特徴とする請求項１または２記載の自動取引装置。
【請求項４】
前記制御手段は、前記鑑別手段により異常と判定し返却した回数が予め設定した所定の許容回数未満のときは、再度の入金を促して前記媒体を前記入出金口に再投入させ、前記予備確認手段による判定を行い、前記鑑別手段により異常と判定し返却した回数が所定の許容回数に達すると、取引を終了することを特徴とする請求項１乃至３のいずれか一項に記載の自動取引装置。
【発明の詳細な説明】
【技術分野】
【０００１】
本発明は、現金自動支払機、現金自動預払機等（以下、「自動取引装置」という）における異常媒体の連続的投入を防止する技術に関するものである。
【背景技術】
【０００２】
例えば、紙幣を入金処理する自動取引装置においては、投入された紙幣を予備的に確認する予備確認手段を設け、紙幣入金口に投入された紙幣を、まずその大きさ等により簡易チェックするのが一般的である。そして、この簡易チェックにより正常紙幣と判定された場合は鑑別部に搬送し、簡易チェックにより異常紙幣と判定された場合は紙幣入金口に戻し、顧客に返却するようになっている。
【０００３】
さらに、鑑別部に搬送された紙幣は、詳細な真偽判別が行われ、真偽判別の結果、正常紙幣と判定された場合は装置内に取込み、異常紙幣と判定された場合は紙幣入金口に戻し、顧客に返却するようになっている。
【０００４】
このように、詳細な真偽判別の前に、短時間にて確認できる予備的な簡易チェックを行うことにより予備チェックを行い、正常と判定された紙幣のみを真偽判別を行い、無駄な鑑別時間を減らし、異常紙幣の搬送により発生する搬送ジャムをも防止するといった技術があった（例えば、特許文献１参照）。
【特許文献１】ＷＯ９７／１９４２６号公報
【発明の開示】
【発明が解決しようとする課題】
【０００５】
しかしながら、上記の従来の自動取引装置では、異常紙幣や紙幣以外の物を繰り返し何度も入金口に投入される場合があり、このような場合、同じ顧客に長時間、装置を占有され、装置の稼動効率が落ちるといった問題があった。また、紙幣以外の物を何度も繰り返し投入されるので、装置故障に至る頻度が高くなるといった問題があった。
【０００６】
また、正常な紙幣が投入されたにも拘わらず、装置の異常により異常紙幣または紙幣以外の異物と判断した場合、エラー処理に移行せず取引終了となるだけであるので、何度も同じ入金操作が繰り返され、装置の稼動効率が落ちるという問題もあった。
【課題を解決するための手段】
【０００７】
本発明は、前述の課題を解決するため次の構成を採用する。すなわち、媒体が正常な媒体か否かを確認する予備確認手段と、予備確認手段により正常であった媒体につき真偽判別を行う鑑別手段を有し、当該鑑別手段により正常な媒体と判定された媒体にて取引を行う自動取引装置であって、前記予備確認手段により異常と判定し返却した回数または前記鑑別手段により異常と判定し返却した回数、若しくは両方の回数に基づき、取引を終了するようにした。
【発明の効果】
【０００８】
本発明の自動取引装置によれば、媒体が正常な媒体か否かを確認する予備確認手段と、予備確認手段により正常であった媒体につき真偽判別を行う鑑別手段を有し、当該鑑別手段により正常な媒体と判定された媒体にて取引を行う自動取引装置であって、前記予備確認手段により異常と判定し返却した回数または前記鑑別手段により異常と判定し返却した回数、若しくは両方の回数に基づき、取引を終了するようにしたので、異常媒体が繰り返し投入されることにより長時間、装置を占有されることがなくなり、装置の稼動効率を上げることができるとともに、異常媒体による装置故障の予防も可能となる。
【発明を実施するための最良の形態】
【０００９】
以下、本発明に係わる実施の形態例を、図面を用いて説明する。図面に共通する要素には同一の符号を付す。なお、以下に説明する各実施例では、紙幣を取り扱う自動取引装置を例にして説明するが、紙葉類であれば小切手などでもよく、また、硬貨などの通貨を取り扱う場合にも本発明を適用できる。
【実施例１】
【００１０】
（構成）
（全体の構成）
実施例１の自動取引装置は、図１のような外観をしており、操作部２、紙幣入出金口３、硬貨入出金口４、カード入出口６、通帳入出口７を備えている。操作部２は、表示部とタッチパネル式の入力部とから構成され、顧客の操作により各種の入力を行なうとともに、操作ガイダンス等が表示される。
【００１１】
紙幣入出金口３は、紙幣が投入されるとともに、これらが排出される開口部である。紙幣入出金口３には、後述するシャッタが設けられ、シャッタが駆動されることにより紙幣入出金口３が開閉される。紙幣入出金口３は後述する装置内の破線部で示した紙幣処理部１ｂに接続されている。
【００１２】
カード入出口６は、取引で使用されるカードがここから挿入され、取引が終了するとカードが排出される。通帳入出口７は、取引で使用される通帳がここから挿入され、取引が終了すると通帳が排出される。また、硬貨入出金口４は、硬貨が投入または排出される開口部である。
【００１３】
紙幣入出金口２は、入金紙幣が投入されるとともに、出金紙幣が排出される部分で、その奥部には紙幣の入出金処理を行う紙幣処理部１ｂが設けられている。カード入出口６は、カードが挿入または排出される部分で、その奥部にはカード処理部２１が設けられている。
【００１４】
硬貨入出金口４は、入金硬貨が投入されるとともに、出金硬貨が排出される部分で、その奥部には、図示しないが、硬貨の入出金処理を行う後述の硬貨処理部２６が設けられている。通帳挿入出口７は、通帳が挿入または排出される部分で、その奥部には、図示しないが、後述の通帳処理部２３が設けられている。
【００１５】
（紙幣処理部の構成）
図２は、前述の紙幣処理部１ｂの構成を示したものである。同図に示したように、紙幣処理部１ｂは、上部ユニット１ｘと下部ユニット１ｙとからなる。
【００１６】
そして、上部ユニット１ｘは、図中左上に示した紙幣を投入する接客ユニット１１、紙幣の真偽判別を行う認識ユニット１２、搬送路からなる搬送ユニット１４、一次保留部１３とからなる。
【００１７】
そして、接客ユニット１１には、図示しない紙幣サイズを検出する紙幣サイズ検出センサが実装されており、認識ユニット１２には真偽判別を行うための各種センサが実装されている。接客ユニット１１の底部には、紙幣以外の異物を留保させるための異物トレイ１１ｂが設けられている。
【００１８】
そして、一次保留部１３は、紙幣サイズ検出センサにより正常と判定され、認識ユニット１２により正常紙幣であると判定された場合、当該紙幣を計数して一次的に保留しておくための保留部で、保留した紙幣は取引が確定すると入金紙幣収納部１７等へ搬出する。
【００１９】
そして、下部ユニット１ｙには、各金種の紙幣をそれぞれ格納しておく紙幣カセット１５ａ〜１５ｄと入金専用紙幣カセット１６、出金取忘れ紙幣収納部１８と、出金リジェクト紙幣収納部１９とが設けられている。
【００２０】
（制御系全体の構成）
実施例１の自動取引装置の制御系全体の構成は、図３の制御系ブロック図に示したように、後述する各部の制御を行う主制御部２０と、前述した操作部２、キャッシュカード等に記録された情報のリードライトを行うカード処理部２１、操作ガイダンス等を出力する音声案内部２２、通帳の磁気ストライプのリードライトおよび通帳への印字制御を行う通帳処理部２３、取引明細を印字出力する明細票処理部２４、紙幣の入出金制御を行う紙幣処理部１ｂ、硬貨の入出金制御を行う硬貨処理部２５とからなる。
【００２１】
さらに、各部に電源を供給する電源部２７、主制御部２０の記憶部としてのメモリ部２８、図示しないホストコンピュータとのインタフェイスを制御するインタフェイス部２９を有する。
【００２２】
（異常紙幣繰り返し投入防止に係る機能構成）
【００２３】
次ぎに、実施例１の異常紙幣繰り返し投入防止に係る機能構成を、図４を用いて以下説明する。同図に示したように、実施例１の異常紙幣繰り返し投入防止に係る機能構成は、認識ユニット１２よる真偽判別を行う前に簡易な外形チェックを行う簡易確認手段３０と、認識ユニット１２よる真偽判別を行う鑑別手段３１と、簡易確認手段３０および鑑別手段３１により異常紙幣を検出し返却した回数が所定の回数となったかどうかを判定する異常回数判定手段３２と、異常回数判定手段３２の判定結果に基づき、取引を終了する取引終了手段３３とからなる。
【００２４】
（動作）
以上の構成により、実施例１の自動取引装置は以下のように動作する。この動作を図５の実施例１の自動取引装置の動作フローチャート図と図４の機能ブロック図とを対応付けて、本発明に特に関連する入金取引について以下説明する。
【００２５】
まず、顧客が、操作部２により入金取引を選択し、次にカードまたは通帳をカード入出口６または通帳入出口７から挿入し認証が終了すると、入金取引が開始され、接客ユニット１１に入金を所望する紙幣を投入する（ステップＳ０１）。
【００２６】
すると、紙幣処理部１ｂは、簡易確認手段３０として、接客ユニット１１に実装されている紙幣サイズ検出センサにより、投入された紙幣の簡易外形チェックを行う（ステップＳ０２）。そして、簡易外形チェックにより異常と判断した場合は、当該紙幣を返却し（ステップＳ０３）、異常回数判定手段３２によりこの紙幣返却回数をチェックし（ステップＳ０４）、紙幣返却回数が規定回数Ｘ回未満であれば許容回数内の返却であるので再度の入金を促しステップＳ０１に戻り、紙幣が投入されるのを待つ。
【００２７】
一方、紙幣返却回数が規定回数Ｘ回となった場合は、許容回数を超えて繰り返し異常紙幣を投入していると判断し、取引終了手段３３によりそれまでの入金した額などの取引内容の履歴を印字して明細票の返却、カードや通帳の返却などを行い、取引きを終了する（ステップＳ０９）。
【００２８】
一方、ステップＳ０２の簡易外形チェックにより正常と判定した場合は、当該紙幣を認識ユニット１２に搬送し（ステップＳ０５）、鑑別手段３１により真偽チェックを行う（ステップＳ０６）。そして、真偽チェックが正常であれば、計数処理、一次保留部１３への格納などの次ぎの処理に移行する。
【００２９】
ステップＳ０６の真偽チェックにより異常と判断した場合は紙幣を返却し（ステップＳ０７）、異常回数判定手段３２により真偽チェック異常による紙幣返却回数をチェックし（ステップＳ０８）、紙幣返却回数が規定回数Ｙ回未満であれば、許容回数内の返却であるので再度の入金を促しステップＳ０１に戻り、紙幣が投入されるのを待つ。
【００３０】
一方、真偽チェック異常による紙幣返却回数が規定回数Ｙ回となった場合は、許容回数を超えて繰り返し異常紙幣を投入していると判断し、取引終了手段３３によりそれまでの入金した額などの取引内容の履歴を印字して明細票の返却、カードや通帳の返却などを行い、取引きを終了する（ステップＳ０９）。
【００３１】
なお、簡易外形チェックによる返却回数の判定基準となる規定回数Ｘ、真偽チェック異常による返却回数の判定基準となる規定回数Ｙは、自動取引装置１が備えられた環境、すなわち使用頻度の高い環境で使用される場合であれば回数を少なくし、使用頻度の低い環境で使用される場合であれば回数を多くするようにするとよいが、通常の場合では、規定回数ＸおよびＹは３回程度するのがよい。
【００３２】
また、以上の説明では、簡易外形チェックによる返却回数および真偽チェックによる返却回数により、取引終了処理を行うように説明したが、いずれか一方の回数により取引終了としてもよいし、両方を加算した回数により取引終了としてもよい。
【００３３】
（実施例１の効果）
以上詳細に述べたように実施例１の自動取引装置によれば、紙幣サイズ等による予備的チェックにより異常と判定し返却した回数または鑑別手段によるチェックにより異常と判定し返却した回数、若しくは両方の回数に基づき、取引きを終了するようにしたので、異常媒体が繰り返し投入されることにより長時間、装置を占有されることがなくなり、装置の稼動効率を上げることができるとともに、異常媒体による装置故障の予防も可能となる。
【実施例２】
【００３４】
（構成）
実施例２の自動取引装置の全体構成、紙幣処理部の構成、制御系全体の構成は実施例１と同様であるので、簡略化のためにその詳細な説明を省略する。
【００３５】
（異常紙幣繰り返し投入防止に係る機能構成）
【００３６】
実施例２の異常紙幣繰り返し投入防止に係る機能構成を、図６を用いて以下説明する。同図に示したように、実施例２の異常紙幣繰り返し投入防止に係る機能構成では、実施例１の取引終了手段３３の代わりに、異常紙幣を検出し返却した回数に基づいて取引を中断し装置の保守を行えるようにする取引中断手段３４を設けている。その他の構成は、実施例１の構成と同様であるので、簡略化のためにその詳細な説明は省略する。
【００３７】
（動作）
以上の構成により、実施例２の自動取引装置は以下のように動作する。この動作を図７の実施例２の自動取引装置の動作フローチャート図と図６の機能ブロック図とを対応付けて、本発明に特に関連する入金取引について以下説明する。
【００３８】
まず、顧客が、操作部２により入金取引を選択し、次にカードまたは通帳をカード入出口６または通帳入出口７から挿入し認証が終了すると、入金取引が開始され、接客ユニット１１に入金を所望する紙幣を投入する（ステップＳ０１）。
【００３９】
すると、紙幣処理部１ｂは、簡易確認手段３０として、接客ユニット１１に実装されている紙幣サイズ検出センサにより、投入された紙幣の簡易外形チェックを行う。そして、簡易外形チェックにより異常と判断した場合は、当該紙幣を返却し、異常回数判定手段３２によりこの紙幣返却回数をチェックし、紙幣返却回数が規定回数Ｘ回未満であれば許容回数内の返却であるので再度の入金を促しステップＳ０１に戻り、紙幣が投入されるのを待つ（ステップＳ０２〜Ｓ０４）。
【００４０】
一方、紙幣返却回数が規定回数Ｘとなった場合は、繰り返して異常紙幣を投入していると判断し、取引中断手段３４によりエラー処理に移行し、装置点検・修理を行い、装置の復旧を行う（ステップＳ１９）。
【００４１】
一方、ステップＳ０２の簡易外形チェックにより正常と判定した場合は、当該紙幣を認識ユニット１２に搬送し、鑑別手段３１により真偽チェックを行う。そして、真偽チェックが正常であれば、計数処理、一次保留部１３への格納などの次ぎの処理に移行する（ステップＳ０５・Ｓ０６）。
【００４２】
ステップＳ０６の真偽チェックにより異常と判断した場合は紙幣を返却し、異常回数判定手段３２により真偽チェック異常による紙幣返却回数をチェックし、紙幣返却回数が規定回数Ｙ回未満であれば、許容回数内の返却であるので再度の入金を促しステップＳ０１に戻り、紙幣が投入されるのを待つ（ステップＳ０７・Ｓ０８）。
【００４３】
一方、真偽チェック異常による紙幣返却回数が規定回数Ｙ回となった場合は、許容回数を超えて繰り返し異常紙幣を投入していると判断し、取引中断手段３４によりエラー処理に移行し、装置点検・修理を行い、装置の復旧を行う（ステップＳ１９）。
【００４４】
なお、実施例１と同様、簡易外形チェックによる返却回数の判定基準となる規定回数Ｘ、真偽チェック異常による返却回数の判定基準となる規定回数Ｙは、自動取引装置１が備えられた環境、すなわち使用頻度の高い環境で使用される場合であれば回数を少なくし、使用頻度の低い環境で使用される場合であれば回数を多くするようにするとよいが、通常の場合では、規定回数ＸおよびＹは３回程度するのがよい。
【００４５】
また、以上の説明では、実施例１と同様、簡易外形チェックにより異常となり返却した回数および真偽チェックによる異常となり返却した回数により、エラー処理を行うように説明したが、いずれか一方の回数により取引終了処理を行うようにしてもよいし、両方を加算した回数により取引終了処理を行うようにしてもよい。
【００４６】
（実施例２の効果）
以上のように、実施例２の自動取引装置によれば、紙幣サイズ等による予備的チェックにより異常と判定し返却した回数、または鑑別手段によるチェックにより異常と判定し返却した回数、若しくは両方の回数に基づき、エラー処理に移行するようにしたので、実施例１の効果に加え、正常紙幣であっても装置異常により異常紙幣と判定される場合に、装置点検・修理をいち早く実施することができ、装置の復旧を早くすることができる。
【実施例３】
【００４７】
（構成）
実施例３の自動取引装置の全体構成、紙幣処理部の構成、制御系全体の構成も実施例１と同様であるので、簡略化のためにその詳細な説明を省略する。
【００４８】
（異常紙幣繰り返し投入防止に係る機能構成）
【００４９】
実施例３の異常紙幣繰り返し投入防止に係る機能構成を、図８を用いて以下説明する。同図に示したように、実施例３の異常紙幣繰り返し投入防止に係る機能構成は、同一顧客が取引を開始したかどうかを判定する同一顧客判定手段４０を新たに設け、異常回数判定手段３２は、同一顧客判定手段４０の判定結果をも考慮して取引を終了するかどうかの判定をするようにしている。
【００５０】
なお、同一顧客かどうかの判定は、挿入されたカードや通帳から読み取った口座番号の一致のチェックを行ってもよいし、カメラ等による顔認識やアイリスなどの認識による同一人かどうかのチェックを行ってもよいし、自動取引装置への接近を検知するために顧客センサがオフとならなかったことをチェックして判定するようにしてもよい。その他の構成は、実施例１の構成と同様であるので、簡略化のためにその詳細な説明は省略する。
【００５１】
（動作）
以上の構成により、実施例３の自動取引装置は以下のように動作する。この動作を図９の実施例３の自動取引装置の動作フローチャート図と図８の機能ブロック図とを対応付けて、本発明に特に関連する入金処理について以下説明する。
【００５２】
まず、顧客が、操作部２により入金取引を選択し、次にカードまたは通帳をカード入出口６または通帳入出口７から挿入し認証が終了すると、入金取引が開始される。このとき、同一顧客判定手段４０により、紙幣投入前に前回の取引きと同じ顧客かどうかのチェックを行う（ステップＳ１１）。
【００５３】
ステップＳ１１にて同じ顧客でないと判定したときは、繰り返し異常紙幣を投入している場合ではないので、入金処理に移行し、接客ユニット１１に入金を所望する紙幣を投入させる（ステップＳ０１）。
【００５４】
一方、ステップＳ１１にて同じ顧客であったときは、さらに前回の取引でおいて紙幣異常で取引きを終了したかどうかを判定し（ステップＳ１２）、紙幣異常にて取引を終了した場合は、繰り返し異常紙幣を投入している場合であるので、取引終了手段３３により取引きを終了する（ステップＳ０９）。
【００５５】
ステップＳ１２の判定にて、紙幣異常にて取引を終了した場合でないときは、同じ顧客であるが繰り返し異常紙幣を投入してはいないとして、入金処理を開始し、顧客に入金を促し、入金を行わせる（ステップＳ０１）。
【００５６】
すると、紙幣処理部１ｂは、簡易確認手段３０として、接客ユニット１１に実装されている紙幣サイズ検出センサにより、投入された紙幣の簡易外形チェックを行う。そして、簡易外形チェックにより異常と判断した場合は、当該紙幣を返却し、異常回数判定手段３２によりこの紙幣返却回数をチェックし、紙幣返却回数が規定回数Ｘ回未満であれば許容回数内の返却であるので再度の入金を促しステップＳ０１に戻り、紙幣が投入されるのを待つ（ステップＳ０２〜Ｓ０４）。
【００５７】
一方、紙幣返却回数が規定回数Ｘ回となった場合は、許容回数を超えて繰り返し異常紙幣を投入していると判断し、取引終了手段３３によりそれまでの入金した額などの取引内容の履歴を印字して明細票の返却、カードや通帳の返却などを行い、取引きを終了する（ステップＳ０９）。
【００５８】
一方、ステップＳ０２の簡易外形チェックにより正常と判定した場合は、当該紙幣を認識ユニット１２に搬送し、真偽チェックを行う（ステップＳ０５・Ｓ０６）。そして、真偽チェックが正常であれば、計数処理、一次保留部１３への格納などの次ぎの処理に移行する。
【００５９】
ステップＳ０６の真偽チェックにより異常と判断した場合は紙幣を返却し、異常回数判定手段３２により真偽チェック異常による紙幣返却回数をチェックし、紙幣返却回数が規定回数Ｙ回未満であれば、許容回数内の返却であるので再度の入金を促しステップＳ０１に戻り、紙幣が投入されるのを待つ（ステップＳ０７・Ｓ０８）。
【００６０】
一方、真偽チェック異常による紙幣返却回数が規定回数Ｙ回となった場合は、許容回数を超えて繰り返し異常紙幣を投入していると判断し、取引終了手段３３によりそれまでの入金した額などの取引内容の履歴を印字して明細票の返却、カードや通帳の返却などを行い、取引きを終了する（ステップＳ０９）。
【００６１】
なお、簡易外形チェックによる返却回数が基準回数以上となった場合や、真偽チェック異常による返却回数が基準回数となった場合、取引終了手段３３によりステップＳ０９にて取引終了となるように説明したが、実施例２のように、取引中断手段３４によりエラー処理に移行するようにしてもよい。
【００６２】
また、以上の説明では、実施例１と同様、簡易外形チェックによる返却回数および真偽チェックによる返却回数により、取引終了処理を行うように説明したが、いずれか一方の回数により取引終了処理を行うようにしてもよいし、両方を加算した回数により取引終了処理を行うようにしてもよい。
【００６３】
（実施例３の効果）
以上のように、実施例３の自動取引装置によれば、同じ顧客が異常紙幣投入により取引終了またはエラーとなったかどうかを判定した後に、入金処理に移行するようにしたので、実施例１および実施例２の効果に加え、さらに確実に、繰り返し異常紙幣が投入されることを防止することができる。
【００６４】
《その他の変形例》
以上の実施例の説明では、簡易確認手段３０として、紙幣の外形サイズにより簡易なチェックを行うように説明したが、紙幣の重さや厚さ或いは紙幣の特定位置のスレッドを検出し、簡易に、異常紙幣かどうかを確認する場合であっても本発明を適用することができる。
【００６５】
また、以上の実施例の説明では、取引終了処理やエラー処理の際の顧客へのメッセージについて説明しなかったが、異常紙幣が繰り返し投入されて異常終了した回数に応じて、注意を促す程度を上げてメッセージを出力するようにするとなおよい。
【産業上の利用可能性】
【００６６】
以上述べたように、本発明は、媒体を鑑別して取り込む現金自動支払機、現金自動預払機などの自動取引装置に広く用いることができる。
【図面の簡単な説明】
【００６７】
【図１】実施例１の自動取引装置の概観図である。
【図２】実施例１の自動取引装置の紙幣処理部の構成図である。
【図３】実施例１の自動取引装置の制御系ブロック図である。
【図４】実施例１の自動取引装置の異常紙幣繰り返し投入防止に係る機能ブロック図である。
【図５】実施例１の自動取引装置の動作フローチャート図である。
【図６】実施例２の自動取引装置の異常紙幣繰り返し投入防止に係る機能ブロック図である。
【図７】実施例２の自動取引装置の動作フローチャート図である。
【図８】実施例３の自動取引装置の異常紙幣繰り返し投入防止に係る機能ブロック図である。
【図９】実施例３の自動取引装置の動作フローチャート図である。
【符号の説明】
【００６８】
１    自動取引装置
１ｂ  紙幣処理部
２    操作部
３    紙幣入出金口
１１  接客ユニット
１１ａ  紙幣シャッタ
１１ｂ  異物トレイ
１２  認識ユニット
１６  入金専用紙幣カセット
１７  入金紙幣収納部
３０  簡易確認手段
３１  鑑別手段
３２  異常回数判定手段
３３  取引終了手段
３４  取引中断手段
４０  同一顧客判定手段
【図１】
0005320830.tif 000002
【図２】
0005320830.tif 000003
【図３】
0005320830.tif 000004
【図４】
0005320830.tif 000005
【図５】
0005320830.tif 000006
【図６】
0005320830.tif 000007
【図７】
0005320830.tif 000008
【図８】
0005320830.tif 000009
【図９】
0005320830.tif 000010